(57)【要約】      （修正有）【課題】運動を行いながら蓄電池に充電可能なエアロバイクの提供。【解決手段】発電機１９は発電機回転負荷ギア３２の数を集約してスロット式蓄電池１６に順次充填され、スロット式蓄電池１６にエネルギーが達しだしたら扇風機５も回り出してくる。ペダル６,７をこいでダイエット若しくは筋力トレーニングを設定パネル１で設定したメニューをこなす。発電機収納扉１８を開けると発電機１９、発電機回転負荷ギア３２が収納されている。【選択図】図２
2013022175.tif 000002
【特許請求の範囲】
【請求項１】
エアロバイクでありペダル６,７の軸３９に設けられた遠心力用円盤ギア３８があり遠心力用円盤ギア３８にかけられたベルト１５を備えており、その先には発電機１９が設けられていておりこの発電機１９には複数の発電機回転負荷ギア３２が設けられており発電機回転負荷ギア３２によって回転し発電機１９によって発電機１９の上部に設置してあるスロット式蓄電池１６を備えると共にエアロバイク前方にはエアロバイクの前支柱１３支柱に固定された扇風機５の支柱１２を立設して, そのモーター付き風方向固定金具３０が設けられており、更に前記の扇風機５のエアロバイクのハンドル３,４中央部分に設定パネル1が設けられ、スロット式蓄電池１６から扇風機支柱１２を通り蓄電池１６につながり、ケース８の中のスロット式蓄電池１６は蓄電池ストックケースの中に入っていてスロット式蓄電池１６のはめ込みになっておりスロット式蓄電池１６で複数個セットでき、スロット式蓄電池１６及び発電機１９はケース８に収納されていて、満タン表示ＬＥＤ３４が設けられ、そのスロット式蓄電池１６の充電が終了して次のスロット式蓄電池１６のスロット式蓄電池１６へと充電が移行するかスロット式蓄電池１６を入れ替えることのできるエアロバイク。
【請求項２】
エアロバイク前支柱１３及びエアロバイク後支柱１４はエアロバイク前支柱１３及びエアロバイク後支柱１４の一端をつなぐサドル下可動軸４１エアロバイク前支柱１３及びエアロバイク後支柱１４他端に設けられたエアロバイク前支柱可動軸エアロバイク前支柱可動軸により回動自在に取り付けられた請求項１記載のエアロバイク。
【発明の詳細な説明】
【技術分野】
【０００１】
本発明は扇風機と発電装置および蓄電池を有するエアロバイクに関する。            
【背景技術】
【０００２】
エアロバイクは通常ダイエットや筋力トレーニングに使用する。
図1に従来のエアロバイクと扇風機を図示する。
図1のエアロバイクは、通常ダイエットや筋力トレーニングの為ペダルの負荷や時間、消費カロリー目標を設定して使用する。
【先行技術文献】
【特許文献】
【０００３】
【特許文献１】特開２０１１-４５６３５号公報
【発明の概要】
【発明が解決しようとする課題】
【０００４】
従来のエアロバイクには次のような解決すべき課題があった。
従来のエアロバイクは通常ダイエットや筋力トレーニングの為だけという欠点があった。
【０００５】
発電できるエアロバイクは、例えば前記特許文献に開示された発明としてはあるが、扇風機などの機能を備えたものはなかった。
せっかくの運動エネルギーロスがたくさん出る。
無理な通常ダイエットや筋力トレーニングで熱中症になる。
又、場所をとるという課題もあった。
【課題を解決するための手段】
【０００６】
請求項１はエアロバイクでありペダル６,７の軸に設けられた遠心力用円盤ギアがあり、遠心力用円盤ギアにかけられたベルト１５の一端で、この他端には発電機が設けられていておりこの発電機には複数の発電機回転負荷ギア３２が設けられており発電機回転負荷ギア３２によって回転し発電機によって発電機の発電した電気をスロット式蓄電池１６に充填するときにエアロバイクの前方にはエアロバイク前足に子固定された扇風機を可能とし, そのモーターは上下左右自由に変えられ、設定パネル1,１５で扇風機電源のオン/オフや順風/逆風、風速を調整するスイッチを有し更に、スロット式蓄電池１６からの電源が支柱１２,１３,１４の中を通る導線により電源をその電源で蓄池設定パネル1で運動量を設定しハンドル３,４を持ってペダル６,７をこぎギアベルト１５に回転エネルギーを発電機回転負荷ギア３２に伝えて発電機１９に集約され発電され発電したエネルギーはスロット式蓄電池１６に充填されケース８の中のスロット式蓄電池１６は蓄電池ストックケースの中に入っていてスロット式のはめ込みになっておりスロット式蓄電池１６で数個セットでき、スロット式蓄電池１６及び発電機１９はケース８に収納されていて、充電が完了すると満タン表示ＬＥＤ３４が点灯し、そのスロットの充電が終了して次のスロットのスロット式蓄電池１６へと充電が移行するかスロット式蓄電池１６を入れ替えることができる構造とした事を特徴とするエアロバイク。
【０００７】
請求項２はエアロバイクでトレーニングに使わないときには支柱１３,１４が収納できケース８の外側に、収納ができ折りたたんだ状態でもスロット式蓄電池１６に電気がある限り扇風機は回転でききいつでも扇風機として使用できる特徴を持ったエアロバイクである。
【発明の効果】
【０００８】
このエアロバイクには次のような効果があり、ダイエット用に使用、筋力トレーニングでも使用でき、ハンドル３,４にはハンドグリッバー３５が両手についていてトレーニングしたい場合には底を使用し発電エネルギーは発電機１９に集約され発電され、そのエネルギーはスロット式蓄電池１６に充填され、蓄電池ケース８の中のスロット式蓄電池１６は蓄電池ストックケースの中に入っていてその満タンになったエネルギーは販売できる。
【図面の簡単な説明】
【０００９】
【図１】従来の（１）エアロバイクの斜視図であり、(２）は扇風機の正面図である。
【図２】（１）本発明のエアロバイクの正面図であり（２）本発明のエアロバイクの側面図である。
【図３】（１）は設定パネルの正面図であり（２）はケース８の中のスロット式蓄電池１６の正面図であり（３）はスロット式蓄電池１６の斜視図であり（４）は発電機および動力部の斜視図である。
【図４】（１）本発明のエアロバイクの収納状態の側面図であり（２）ハンドル３,４にエキスパンダー３５が付属しているハンドル部を示す側面図。
【発明を実施するための形態】
【００１０】
以下図面に従って実施例を説明する。
図２（１）は本発明のエアロバイクであり前から見た正面図、（２）は側面図である。
図４（１）は本発明のエアロバイクの収納状態の側面図である。
図４（１）の状態を図２（１）のエアロバイクまで状態を完成させる。
扇風機５の風の向きを決め固定する。
スロット式蓄電池１６を蓄電池ケース８の中にセットする。
エアロバイクにまたがり高さなどを自分に合った状態にしまたかる。
設定パネルで、自分に合った負荷を負荷スライドスイッチ２３で設定する。
扇風機電源スイッチ２１をオンにする。
ハンドル３,４にはオプションとしてハンドグリッバー３５が付いている。
【００１１】
扇風機風量スライドスイッチ２２で風量を設定する。
ハンドル３,４を握りペダル６,７をこぐとベルト１５へ動力が伝わり発電機回転負荷ギア３２に到達し、負荷設定によってそれに対した負荷分の発電機を結合させ発電がはじめせる。
発電機１９は発電機回転負荷ギア３２の数を集約してスロット式蓄電池１６に順次充填させる。
スロット式蓄電池１６にエネルギーが達しだしたら扇風機５も回り出してくる。
ペダル６,７をこいでダイエット若しくは筋力トレーニングを設定パネル１で設定したメニューをこなす。
ここでの運動エネルギーで消費カロリーを計算し消費カロリー表示７セグメント２５で表示する
【００１２】
図３の（１）の設定パネル1には以下のものを有している。
扇風機電源スイッチ２１、扇風機風量スライドスイッチ２２、エアロバイクリセットスイッチ２０、エアロバイク負荷設定スライドスイッチ２３、スロット式蓄電池１６充電状況レベルＬＥＤ表示機２４、消費カロリー表示７セグメント２５、目標消費カロリー設定スイッチ２６がある。
（２）蓄電池ボックス８にスロット式蓄電池１６を数個蓄電池スロット２７にスロット式蓄電池１６が収納されていて 蓄電池にはエネルギーが充填１つ１つ順番にされていき１つが満タンになると満タン表示ＬＥＤ３４が点灯する。
（３）スロット式蓄電池１６であり電源端子のプラス２８、電源端子のマイナス２９、蓄電部３７からなっている。
【００１３】
図４（１）エアロバイク収納形態の側面図であり、（２）はハンドル７部分に装備しているハンドエキスパンダー７、８,３５が付いている。
【実施例】
【００１４】
図４（１）エアロバイク収納形態の側面図であり図４（１）のエアロバイク状態収納形態を図２（１）のエアロバイクまで扇風機支柱１２扇風機固定金具３１、扇風機支柱１２,エアロバイク前１３,エアロバイク後１４をスライドさせて動作可能な状態を完成させ固定しハンドルの高さ調整、サドル２高さ調整、扇風機固定金具３１、扇風機支柱１２,エアロバイク前１３,エアロバイク後ろ１４で位置調整をする。
【００１５】
扇風機の風の向きを決め固定する。
蓄電器収納ケース扉１７を開けてスロット式蓄電池１６をケース８の中にセットする。
エアロバイクにまたがり高さなどを自分に合った状態にしまたかる。
設定パネル１で、自分に合った負荷を負荷スライドスイッチ２３で設定する。
扇風機電源スイッチ２１をオンにする。
ハンドル３,４にはオプションとしてハンドルエキスパンダー３５が付いている。
ペダル６,７をこぎながらハンドルエキスパンダー３５で握力もトレーニングできる。
【００１６】
扇風機風量スライドスイッチ２２で風量を設定する。
ハンドル３,４を握りペダル６,７をこぐとベルト１５へ動力が伝わり発電機回転負荷ギア３２に到達し、負荷設定によってそれに対した負荷分の発電機１９を結合させ発電がはじめせる。
【００１７】
発電機１９は発電機回転負荷ギア３２の数を集約してスロット式蓄電池１６に順次充填されスロット式蓄電池１６にエネルギーが達しだしたら扇風機も回り出してくる。
ペダル６,７をこいでダイエット若しくは筋力トレーニングを設定パネル１で設定したメニューをこなす。
ここでの運動エネルギーで消費カロリーを計算し消費カロリー表示７セグメント２５で表示する
発電機収納扉１８を開けると発電機１９、発電機回転負荷ギア３２が収納されている。
【００１８】
図３の（１）の設定パネル1には以下のものを有している。
扇風機電源スイッチ２１このスイッチで扇風機をオン/オフさせる。
扇風機風量スライドスイッチ２２で扇風機５の風量の強弱設定をする。
エアロバイクリセットスイッチ２０、設定のやり直しをするときに使用する。
エアロバイク負荷設定スライドスイッチ２３で負荷の抵抗力を調整される。
スロット式蓄電池充電状況レベルＬＥＤ表示機２４、現在の発電点力量をＬＥＤイコライザーで表示する。
【００１９】
消費カロリー表示７セグメント２５で現在の消費カロリーを計算表示し、目標消費カロリー設定スイッチ２６で目標消費カロリーを設定する。
（２）蓄電池ボックス２６にスロット式蓄電池１６を数個蓄電池スロット２７にスロット式蓄電池１６が収納されていて 蓄電池にはエネルギーが充填１つ１つ順番にされていき１つが満タンになると満タン表示ＬＥＤ３４が点灯する。
（３）スロット式蓄電池１６であり電源端子のプラス２８、電源端子のマイナス２９、蓄電部３７からなっている。
【産業上の利用可能性】
【００２０】
健康増進機械、発電機、蓄電池業界及び扇風機業界において利用可能である。
【符号の説明】
【００２１】
１  設定パネル
２  サドル
３  ハンドル
４  ハンドル
５  扇風機
６  ペダル
７  ペダル
８  蓄電器ケース
９  発電機ケース
１０  固定足
１１  固定足
１２  扇風機支柱
１３  エアロバイク前支柱
１４  エアロバイク後支柱
１５  ベルト
１６  スロット蓄電池
１７  蓄電器収納ケース扉
１８  発電機収納ケース扉
１９  発電機
２０  リセットスイッチ
２１  扇風機電源スイッチ
２２  扇風機風量スライドスイッチ
２３  負荷設定スライドスイッチ
２４  スロット式蓄電池充電状況レベルＬＥＤ表示機
２５  消費カロリー表示７セグメント
２６  目標消費カロリー設定スイッチ
２７  個蓄電池スロット
２８  電源端子のプラス
２９  電源端子のマイナス
３０  モーター付き風方向固定金具
３１  サドル調整器具
３２  発電機回転負荷ギア
３３  扇風機カバー
３４  満タン表示ＬＥＤ
３５  ハンドグリッバー
３６  遠心力用円盤ギア
３７  蓄電部
３８  遠心力用円盤ギア
３９  ペダル軸
４０  エアロバイク後ろ支柱可動軸
４１  サドル下可動軸
４２  エアロバイク前支柱可動軸
【図１】
2013022175.tif 000003
【図２】
2013022175.tif 000004
【図３】
2013022175.tif 000005
【図４】
2013022175.tif 000006